(57)【特許請求の範囲】
【請求項１】
一端が上がれば他端が下がり、一端が下がれば他端が上がる搖動部材と、
前記搖動部材の一端に一端が連結された操作レバーと、
前記操作レバーと前記搖動部材とが開くときに上昇し、前記操作レバーと前記搖動部材とが閉じるときに下降する位置において前記操作レバーに取り付けられた第１の穿孔刃と、
前記搖動部材の他端に取り付けられた第２の穿孔刃と、
を備えることを特徴とする小型パンチ。
【請求項２】
前記搖動部材が上面に取り付けられ、用紙差込用の間隙を有するパンチ台を備え、
前記操作レバーと前記搖動部材とが閉じるときに、前記第１の穿孔刃と前記第２の穿孔刃とが前記パンチ台の間隙に挿入された用紙に穿孔する、
ことを特徴とする請求項１に記載の小型パンチ。
【請求項３】
前記搖動部材を囲むように前記パンチ台の上面に配置されており、前記搖動部材を搖動可能に支持するカバーを備えることを特徴とする請求項２に記載の小型パンチ。
【請求項４】
前記パンチ台が、穿孔くず収納容器と用紙ガイドを有し、
前記穿孔くず収納容器と前記用紙ガイドが、前記間隙の下に配置され、
前記用紙ガイドが、前記穿孔くず収納容器の上または下に配置されている、
ことを特徴とする請求項２または３に記載の小型パンチ。
【発明の詳細な説明】
【技術分野】
【０００１】
本発明は、用紙をファイルに綴じるための一対の孔をその用紙の辺縁近くに開ける小型パンチに関する。
【背景技術】
【０００２】
特許文献１は、収納や携帯が容易な小型パンチを開示する。特許文献１に記載の小型パンチは、パンチ雄型（穿孔刃）を上下動させる一対のレバーが一対のパンチ雌型（孔）間を結ぶ線上に重合し、一対のレバーが常時起立した方向にバネで維持される構造の幅狭パンチである。
この小型パンチでは、一方のレバーが２つのレバーの連結部分よりも延長されており、延長された一方のレバーの中央に長手方向に沿ってスリット状の開口があいている。その開口において２つのレバーが連結される。他方のレバーは一方のレバーの半分程度の長さである。
延長された一方のレバーの一端には押圧部が設けられている。押圧部が押し下げられるとき、他方のレバーの一端が一方のレバーの開口に沿ってスライドする。一方のレバーの他端近傍と他方のレバーの他端近傍には一対のパンチ雄型が取り付けられている。レバーが起立した状態でパンチケース（パンチ台）の用紙差込用の間隙に用紙を挿入し、押圧部を押し下げると、一対のパンチ雄型が下降して用紙を貫通し、用紙の辺縁近くに一対の孔を開ける。
【先行技術文献】
【特許文献】
【０００３】
【特許文献１】実公昭６０−１８３２０号公報
【発明の概要】
【発明が解決しようとする課題】
【０００４】
特許文献１に記載の小型パンチでは、スリット状の開口のように他方のレバーの一端がスライド可能な構造を一方のレバーに設ける必要があり、レバーの構造が複雑となる。そして、この小型パンチでは、レバーにかかる下向きの力は他方のレバーの先端をスライドさせる力とレバーを押し下げる力とに分散される。更に、一対のレバーを起立させるバネの力に逆らってレバーを押し下げなければならない。
【０００５】
本発明の目的は、操作レバーの構造が単純となり、操作レバーにかかる力の大部分が用紙に孔を開けるために使用される小型パンチを提供することである。
【課題を解決するための手段】
【０００６】
上記課題を解決するために、本発明の小型パンチは、
一端が上がれば他端が下がり、一端が下がれば他端が上がる搖動部材と、
前記搖動部材の一端に一端が連結された操作レバーと、
前記操作レバーと前記搖動部材とが開くときに上昇し、前記操作レバーと前記搖動部材とが閉じるときに下降する位置において前記操作レバーに取り付けられた第１の穿孔刃と、
前記搖動部材の他端に取り付けられた第２の穿孔刃と、
を備えることを特徴とする。
【０００７】
好ましくは、本発明の小型パンチは、
前記搖動部材が上面に取り付けられ、用紙差込用の間隙を有するパンチ台を備え、
前記操作レバーと前記搖動部材とが閉じるときに、前記第１の穿孔刃と前記第２の穿孔刃とが前記パンチ台の間隙に挿入された用紙に穿孔する、
ことを特徴とする。
【０００８】
好ましくは、本発明の小型パンチは、
前記搖動部材を囲むように前記パンチ台の上面に配置されており、前記搖動部材を搖動可能に支持するカバーを備えることを特徴とする。
【０００９】
好ましくは、本発明の小型パンチは、
前記パンチ台が、穿孔くず収納容器と用紙ガイドを有し、
前記穿孔くず収納容器と前記用紙ガイドが、前記間隙の下に配置され、
前記用紙ガイドが、前記穿孔くず収納容器の上または下に配置されている、
ことを特徴とする。
【発明の効果】
【００１０】
本発明によれば、操作レバーの構造が単純となり、操作レバーにかかる力の大部分が用紙に孔を開けるために使用される。
【図面の簡単な説明】
【００１１】
【図１】本発明の第１の実施形態に係る小型パンチの構成の一例を示す図である。図１（Ａ）は、操作レバーが起立した状態（操作レバーと搖動部材が開いた状態）を示す。図１（Ｂ）は、操作レバーと搖動部材が閉じた状態を示す。
【図２】用紙ガイドがパンチ台から引き出された状態における図１の小型パンチの外観の一例を示す図である。図２（Ａ）は小型パンチの上面図である。図２（Ｂ）は小型パンチの正面図である。図２（Ｃ）は小型パンチの底面図である。
【図３】操作レバーと搖動部材を模式的に示す図である。図３（Ａ）は、操作レバーが起立した状態を示す。図３（Ｂ）は、操作レバーと搖動部材が閉じた状態を示す。
【図４】操作レバーと搖動部材の動きの一例を模式的に示す図である。図４（Ａ）は、開いた状態から閉じた状態への動きを示す。図４（Ｂ）は、閉じた状態から開いた状態への動きを示す。
【図５】図４（Ａ）中の領域Ａの拡大図である。
【図６】第１の穿孔刃と第２の穿孔刃にかかる弾性部材による付勢力の一例を示す図である。
【図７】本発明の第１の実施形態に係る小型パンチのパンチ台の構造の一例を示す図である。図７（Ａ）は小型パンチの正面図である。図７（Ｂ）は小型パンチの底面図である。
【図８】第１の穿孔刃と第２の穿孔刃の動きをガイドする２種類のガイド部材の例を示す。図８（Ａ）は、ガイド部材の第１の例を示す。図８（Ｂ）は、ガイド部材の第２の例を示す。
【図９】本発明の第２の実施形態に係る小型パンチの構成の一例を示す図である。図９（Ａ）は小型パンチの上面図である。図９（Ｂ）は小型パンチの正面図である。
【図１０】本発明の第３の実施形態に係る小型パンチの構成の一例を示す上面図である。
【図１１】本発明の第４の実施形態に係る小型パンチの構成の一例を示す図である。図１１（Ａ）は、操作レバーが起立した状態（操作レバーと搖動部材が開いた状態）を示す。図１１（Ｂ）は、操作レバーと搖動部材が閉じた状態を示す。
【図１２】用紙ガイドがパンチ台から引き出された状態における図１１の小型パンチの外観の一例を示す図である。図１２（Ａ）は、小型パンチの上面図である。図１２（Ｂ）は、小型パンチの正面図である。図１２（Ｃ）は、小型パンチの底面図である。
【発明を実施するための形態】
【００１２】
以下、図面を参照しつつ、本発明の実施形態に係る小型パンチについて詳細に説明する。なお、実施形態を説明する全図において、共通の構成要素には同一の符号を付し、繰り返しの説明を省略する。
【００１３】
図１は、本発明の第１の実施形態に係る小型パンチの構成の一例を示す。図１（Ａ）は操作レバー１１０が起立した状態（操作レバー１１０と搖動部材１３０が開いた状態）を示し、図１（Ｂ）は操作レバー１１０と搖動部材１３０が閉じた状態を示す。図２は、用紙ガイド２２０がパンチ台２００から引き出された状態における図１の小型パンチの外観の一例を示す。図２（Ａ）は小型パンチの上面図であり、図２（Ｂ）は小型パンチの正面図であり、図２（Ｃ）は小型パンチの底面図である。なお、図１では、カバー１７０の図示を省略している。
第１の実施形態に係る小型パンチは、操作レバー１１０と、搖動部材１３０と、支持部材１４０と、第１の穿孔刃１５０と、第２の穿孔刃１６０と、カバー１７０と、パンチ台２００とを備える。操作レバー１１０と搖動部材１３０と支持部材１４０と第１の穿孔刃１５０と第２の穿孔刃１６０とカバー１７０とは、パンチ台２００の上に配置される。
【００１４】
操作レバー１１０は、長い平板状の操作部と、操作部の一端の近傍において下方に延びる２つの側面とで構成される。操作レバー１１０の２つの側面の間に第１の穿孔刃１５０が連結棒１５１によって取り付けられる。
搖動部材１３０は、対向する２枚の長い平板で構成される。パンチ台２００の上面に支持部材１４０が固定されている。搖動部材１３０の２枚の平板は、その中央部において連結棒１４１によって搖動可能に支持部材１４０に取り付けられている。これにより、パンチ台２００の上面に搖動部材１３０が取り付けられる。搖動部材１３０の２枚の平板は、一端が上がれば他端が下がり、一端が下がれば他端が上がる。
搖動部材１３０の２枚の平板は操作レバー１１０の２つの側面を挟むように配置される。
搖動部材１３０の２枚の平板と操作レバー１１０の２つの側面とは、操作レバー１１０と搖動部材１３０とが開閉できるように連結棒１１１によって連結される。これにより、搖動部材１３０の一端に操作レバー１１０の一端が連結される。
搖動部材１３０の２枚の平板の他端に第２の穿孔刃１６０が連結棒１６１によって取り付けられる。
【００１５】
パンチ台２００の上面には第１の孔２１０と第２の孔２１１が空いている。第１の孔２１０と第２の孔２１１には、それぞれ第１の穿孔刃１５０と第２の穿孔刃１６０の下部が挿入される。第１の孔２１０と第２の孔２１１は、それぞれ第１の穿孔刃１５０と第２の穿孔刃１６０の上下動をガイドする。
パンチ台２００は水平に延びる細長い間隙２０１を有する。間隙２０１は用紙差込用である。操作レバー１１０と搖動部材１３０が開いているときに間隙２０１に用紙の辺縁が挿入される。操作レバー１１０と搖動部材１３０とが閉じるときに、第１の穿孔刃１５０と第２の穿孔刃１６０とがパンチ台２００の間隙２０１に挿入された用紙に穿孔する。
パンチ台２００は内部に穿孔くず収納容器を備えている。パンチ台２００の底面には蓋２３０がある。蓋２３０を開けて穿孔くず収納容器から穿孔くずを取り出すことができる。
また、パンチ台２００には用紙ガイド２２０が収納されている。用紙ガイド２２０はその端部に用紙止め２２１を備える。Ａ４等の用紙サイズに合わせて用紙ガイド２２０を引き出すことにより、用紙の穿孔位置を決めることができる。
カバー１７０は、搖動部材１３０を囲むようにパンチ台２００の上面に配置されている。
【００１６】
図３は、操作レバー１１０と搖動部材１３０を模式的に示す。また、図４は、操作レバー１１０と搖動部材１３０の動きの一例を模式的に示す。
図４における実線の矢印と破線の矢印は、それぞれ操作レバー１１０と搖動部材１３０の動く方向を示す。破線で示す水平線１３１は、搖動部材１３０と支持部材１４０とが連結される連結点（連結棒１４１）を通る。搖動部材１３０は、連結棒１４１を中心として水平線１３１を挟んで搖動する。図４は、搖動部材１３０の一端と他端が水平線１３１から最大の距離Ｙまで離れる例を示す。
図４（Ａ）に示すように操作レバー１１０と搖動部材１３０とが開くとき、操作レバー１１０は操作レバー１１０の一端（および搖動部材１３０の一端）から間隔Ｘだけ離れた点で水平線１３１と交わる。このとき、操作レバー１１０の一端（および搖動部材１３０の一端）は水平線１３１から下方に距離Ｙだけ離れている。また、図４（Ｂ）に示すように操作レバー１１０と搖動部材１３０とが閉じるとき、操作レバー１１０は水平線１３１の上方に水平線１３１から距離Ｙだけ離れて水平に位置する。
【００１７】
図５は、図４（Ａ）中の領域Ａの拡大図である。図５に示すように、水平線１３１から上方に距離Ｙだけ離れた操作レバー１１０上の位置と操作レバー１１０の一端との間隔は２Ｘである。図４（Ａ）中に実線の矢印で示すように、開いた状態の操作レバー１１０と搖動部材１３０が閉じるとき、操作レバー１１０はその一端から間隔２Ｘの位置までの部分が上昇し、その一端から間隔２Ｘ以上離れた部分が下降する。一方、図４（Ｂ）中に実線の矢印で示すように、閉じた状態の操作レバー１１０と搖動部材１３０が開くとき、操作レバー１１０はその一端から間隔２Ｘの位置までの部分が下降し、その一端から間隔２Ｘ以上離れた部分が上昇する。従って、操作レバー１１０の一端から間隔２Ｘ以上離れた位置に第１の穿孔刃１５０を取り付けると、操作レバー１１０と搖動部材１３０を開閉するとき、第１の穿孔刃１５０と第２の穿孔刃１６０は同じ方向に動く。
【００１８】
例えば、図５に示すように、水平線１３１から上方に距離３Ｙだけ離れた操作レバー１１０上の位置と操作レバー１１０の一端との間隔は４Ｘである。この位置に第１の穿孔刃１５０を取り付けると、開いた状態の操作レバー１１０と搖動部材１３０が閉じるとき、第１の穿孔刃１５０は距離２Ｙだけ下降する。このとき、第２の穿孔刃１６０も距離２Ｙだけ下降する。また、閉じた状態の操作レバー１１０と搖動部材１３０が開くとき、第１の穿孔刃１５０は距離２Ｙだけ上昇する。このとき、第２の穿孔刃１６０も距離２Ｙだけ上昇する。
搖動部材１３０の全長を１０．１０ｃｍ（搖動部材１３０の半分の長さＬ＝５．０５ｃｍ）、および操作レバー１１０と搖動部材１３０が最大に開いた状態で水平線１３１と搖動部材１３０とのなす角度ａ＝３．９６５°、水平線１３１と操作レバー１１０とのなす角度ｂ＝３３．６９０°とすると、４Ｘ＝２．１０ｃｍ、２Ｙ＝０．７０ｃｍである。すなわち、操作レバー１１０の一端から２．１０ｃｍの間隔だけ離れた位置に第１の穿孔刃１５０を取り付けると、操作レバー１１０と搖動部材１３０を開閉するとき、第１の穿孔刃１５０と第２の穿孔刃１６０は同じ方向に０．７０ｃｍ上下する。
なお、このとき、第１の孔２１０と第２の孔２１１の間隔（２Ｌ−４Ｘ）は８．００ｃｍとなる。これは、用紙ガイド２２０をパンチ台２００に収納した状態でＡ４用紙の長辺を半分づつ２回に分けて穿孔することにより、Ａ４用紙の長辺に４つの孔を穿孔することができるサイズである。また、この小型パンチは、用紙ガイド２２０をパンチ台２００から引き出してＢ５用紙やＡ４用紙等の穿孔位置を決め、Ｂ５用紙やＡ４用紙等に２つの孔を穿孔することができる。
【００１９】
図６に示すように、操作レバー１１０を起立させるため、第１の穿孔刃１５０と第２の穿孔刃１６０はバネ等の弾性部材（図示なし）によって上方に付勢されている。ただし、第２の穿孔刃１６０にかかる付勢力は、搖動部材１３０の他端を上方に押し上げるとともにその一端（すなわち、操作レバー１１０の一端）を下方に押し下げる。この下方に押し下げる力は第１の穿孔刃１５０にかかる上向きの付勢力と打消し合う。このため、第１の穿孔刃１５０と第２の穿孔刃１６０にかかる付勢力が同程度であるとき、それらは操作レバー１１０の操作に影響を及ぼさない。
また、特許文献１に記載の小型パンチと異なり、本実施形態に係る小型パンチは操作レバーの先端をスライドさせる力が不要である。
従って、本実施形態に係る小型パンチでは、操作レバーにかかる下向きの力の大部分が用紙に孔を開けるために使用される。
【００２０】
図７は、本発明の第１の実施形態に係る小型パンチのパンチ台２００の構造の一例を示す。図７（Ａ）は、小型パンチ２００の正面図である。図７（Ｂ）は、小型パンチ２００の底面図である。
パンチ台２００は、その内部に穿孔くず収納容器２３１と用紙ガイド２２０を有する。
穿孔くず収納容器２３１は、第１の穿孔刃１５０と第２の穿孔刃１６０によって穿孔された穿孔くずを格納する。蓋２３０を外すことにより穿孔くず収納容器２３１から穿孔くずを取り出すことができる。
用紙ガイド２２０は、パンチ台２００の内部、例えば穿孔くず収納容器２３１の下に位置する。用紙の位置を決めるとき、用紙ガイド２２０はパンチ台２００から引き出される。なお、用紙ガイド２２０は、間隙２０１と穿孔くず収納容器２３１の間（すなわち、間隙２０１の下であって穿孔くず収納容器２３１の上）に配置してもよい。
【００２１】
図８は、第１の穿孔刃１５０と第２の穿孔刃１６０の動きをガイドする２種類のガイド部材の例を示す。
図８（Ａ）に示す第１の穿孔刃１５０用のガイド部材１５２は、孔の開いた上面１５３と、対向する２つの側面１５４とを備える。上面１５３の孔には、第１の穿孔刃１５０の上部が挿入される。２つの側面１５４はパンチ台２００の上面に固定されている。上面１５３の孔とパンチ台２００の上面の第１の孔２１０とが第１の穿孔刃１５０の動きをガイドする。同様に、図８（Ａ）に示す第２の穿孔刃１６０用のガイド部材１６２は、孔の開いた上面１６３と、対向する２つの側面１６４とを備える。上面１６３の孔とパンチ台２００の上面の第２の孔２１１とが第２の穿孔刃１６０の動きをガイドする。
図８（Ｂ）に示す第１の穿孔刃１５０用のガイド部材１５５は、例えば円筒形状や箱型形状であり、上面が開いている。ガイド部材１５５は、パンチ台２００の上面に固定されている。ガイド部材１５５の側面には、スリット状の孔１５６が開いており、孔１５６を連結棒１５１が貫通している。孔１５６が第１の穿孔刃１５０の動きをガイドする。同様に、図８（Ｂ）に示す第２の穿孔刃１６０用のガイド部材１６５は、例えば円筒形状や箱型形状であり、上面が開いている。ガイド部材１６５の側面には、スリット状の孔１６６が開いており、孔１６６を連結棒１６１が貫通している。孔１６６が第２の穿孔刃１６０の動きをガイドする。
【００２２】
図９は、本発明の第２の実施形態に係る小型パンチの構成の一例を示す。図９（Ａ）は、小型パンチの上面図である。図９（Ｂ）は、小型パンチの正面図である。
第２の実施形態に係る小型パンチは、支持部材１４０を有していない。カバー１７０Ａの対向する側面にそれぞれ孔１７１が開いている。２つの孔１７１には連結棒１４１の両方の端部がそれぞれ挿入される。カバー１７０Ａの側面の孔１７１は搖動部材１３０を搖動可能に支持する。
第２の実施形態に係る小型パンチは、搖動部材１３０を囲むようにパンチ台２００の上面に配置されたカバー１７０Ａが搖動部材１３０を搖動可能に支持する点が第１の実施形態に係る小型パンチと異なる。
【００２３】
図１０は、本発明の第３の実施形態に係る小型パンチの構成の一例を示す上面図である。
上述した第１の実施形態に係る小型パンチでは、操作レバー１１０は長い平板状の操作部と２つの側面とで構成され、搖動部材１３０は対向する２枚の長い平板で構成される。これに対し、第３の実施形態に係る小型パンチでは、操作レバー１１０Ａは長い棒状の操作部とその一端の近傍において下方に延びる１つの面で構成され、搖動部材１３０Ａは１枚の長い平板で構成される。
第３の実施形態に係る小型パンチでは、第１の穿孔刃１５０は操作レバー１１０Ａの下方に延びる面に連結棒１５１によって取り付けられる。１枚の平板である搖動部材１３０Ａは、その中央部において連結棒１４１によって搖動可能に支持部材１４０に取り付けられる。搖動部材１３０Ａと操作レバー１１０Ａとは、開閉できるように連結棒１１１によって連結される。第２の穿孔刃１６０は、搖動部材１３０Ａの他端に連結棒１６１によって取り付けられる。
【００２４】
図１１は、本発明の第４の実施形態に係る小型パンチの構成の一例を示す。図１１（Ａ）は、操作レバー１１０Ｂが起立した状態（操作レバー１１０Ｂと搖動部材１３０が開いた状態）を示す。図１１（Ｂ）は、操作レバー１１０Ｂと搖動部材１３０が閉じた状態を示す。図１２は、用紙ガイド２２０がパンチ台２００から引き出された状態における図１１の小型パンチの外観の一例を示す。図１２（Ａ）は、小型パンチの上面図である。図１２（Ｂ）は、小型パンチの正面図である。図１２（Ｃ）は、小型パンチの底面図である。なお、図１１では、カバー１７０の図示を省略している。
第４の実施形態に係る小型パンチは、第１の実施形態に係る小型パンチと操作レバー１１０Ｂの構成が異なる。操作レバー１１０Ｂは、操作部１２０と連結部１２１とで構成される。
【００２５】
連結部１２１は、第１の実施形態の操作レバー１１０における操作部の一端の近傍と同一の形状である。すなわち、連結部１２１は、平板状の上面とその上面から下方に延びる２つの側面で構成される。搖動部材１３０の２枚の平板は連結部１２１の２つの側面を挟むように配置される。搖動部材１３０の２枚の平板と連結部１２１の２つの側面とは、操作レバー１１０Ｂと搖動部材１３０とが開閉できるように連結棒１１１によって連結される。
操作部１２０は、長い平板状の上面とその上面から下方に延びる２つの側面とを有する。図１２に示すように、操作レバー１１０Ｂと搖動部材１３０とが閉じるとき、操作部１２０の２つの側面はカバー１７０を挟み込み、操作部１２０はカバー１７０を覆う。
【００２６】
なお、上述した実施形態では、搖動部材１３０（または搖動部材１３０Ａ）の平板がその中央部において連結棒１４１によって搖動可能に支持部材１４０（またはカバー１７０Ａ）に取り付けられる例を示したが、搖動部材１３０（または搖動部材１３０Ａ）の平板が、中央部ではなく、中央部から一端側または他端側にずれた位置において搖動可能に支持部材１４０（またはカバー１７０Ａ）に取り付けられることとしてもよい。
また、上述した図５では、水平線１３１から上方に距離３Ｙだけ離れ、操作レバー１１０の一端から間隔４Ｘだけ離れた操作レバー１１０上の位置に第１の穿孔刃１５０を取り付ける例を示したが、これに限らず、操作レバー１１０と搖動部材１３０とが開くときに上昇し、操作レバー１１０と搖動部材１３０とが閉じるときに下降する位置において操作レバーに第１の穿孔刃１５０を取り付けてもよい。
また、上述した第１、第３および第４の実施形態の小型パンチでは必ずしもカバー１７０を設けなくてもよい。
【００２７】
以上説明したように、本発明によれば、操作レバーの構造が単純となり、操作レバーにかかる力の大部分が用紙に孔を開けるために使用される。
【００２８】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００２９】
１１０、１１０Ａ、１１０Ｂ…操作レバー、１１１…連結棒、１２０…操作部、１２１…連結部、１３０、１３０Ａ…搖動部材、１３１…水平線、１４０…支持部材、１４１…連結棒、１５０…第１の穿孔刃、１５１…連結棒、１５２…第１の穿孔刃用のガイド部材、１５５…第１の穿孔刃用のガイド部材、１６０…第２の穿孔刃、１６１…連結棒、１６２…第２の穿孔刃用のガイド部材、１６５…第２の穿孔刃用のガイド部材、１７０、１７０Ａ…カバー、１７１…カバーの側面の孔、２００…パンチ台、２０１…用紙差込用の間隙、２１０…第１の孔、２１１…第２の孔、２２０…用紙ガイド、２２１…用紙止め、２３０…穿孔くず収納容器の蓋、２３１…穿孔くず収納容器
【要約】
【課題】小型パンチの操作レバーの構造を単純化し、操作レバーにかかる力の大部分が用紙に孔を開けるために使用されるようにする。
【解決手段】搖動部材１３０は、支持部材１４０によってパンチ台２００に搖動可能に取り付けられている。搖動部材１３０は、一端が上がれば他端が下がり、一端が下がれば他端が上がる。連結棒１１１によって搖動部材１３０の一端に操作レバー１１０の一端が連結される。第１の穿孔刃１５０は、連結棒１５１によって操作レバー１１０と搖動部材１３０とが開くときに上昇し、操作レバー１１０と搖動部材１３０とが閉じるときに下降する位置において操作レバー１１０に取り付けられる。第２の穿孔刃１６０は、連結棒１６１によって搖動部材１３０の他端に取り付けられる。
【選択図】図１【図１】
0005891526.tif 000002
【図２】
0005891526.tif 000003
【図３】
0005891526.tif 000004
【図４】
0005891526.tif 000005
【図５】
0005891526.tif 000006
【図６】
0005891526.tif 000007
【図７】
0005891526.tif 000008
【図８】
0005891526.tif 000009
【図９】
0005891526.tif 000010
【図１０】
0005891526.tif 000011
【図１１】
0005891526.tif 000012
【図１２】
0005891526.tif 000013